(57)【要約】【課題】  多種類のガスボンベ等の高圧容器に取り付けることができるＲＦタグを提供する。【解決手段】  高圧容器のネックの外周に装着され曲率半径が可変する弾性変形可能な円筒体の一部を切除した断面優弧状のタグ本体２と、タグ本体２の外周の一部から突出されたインレット部４に収容されるインレット３と、タグ本体２の両端部にそれぞれ係合してタグ本体２をネックの外周に締め付けて固定する締結部材５とを備える。タグ本体２の内周面は、その内周面の軸方向の両端部側に位置されネックの開口部側に向かって外側に傾斜した傾斜部と、傾斜部間のタグ本体の軸と平行な逆円柱状面とを有する。【選択図】図２
2011226515.tif 000002
【特許請求の範囲】
【請求項１】
高圧容器のネックの外周に装着され曲率半径が可変する弾性変形可能な円筒体の一部を切除した断面優弧状のタグ本体と、
前記タグ本体の外周の一部から突出されたインレット部に収容されるインレットと、
前記タグ本体の周方向の両端部にそれぞれ係合して前記タグ本体を前記ネックの外周に締め付けて固定する締結部材とを備え、
前記タグ本体の内周面は、前記タグ本体の軸と平行な逆円柱状面で形成され、前記タグ本体の軸方向の両端部のうち前記タグ本体を前記ネックに装着したときの前記ネックの開口部側の軸側第１端部寄りの前記内周面に、径方向内方に突出した突出部を設け、該突出部の先端面及び軸側第１端部と反対側の軸側第２端部寄りの前記内周面が、軸側第２端部から軸側第１端部に向かって軸側に断面同一直線上に傾斜した傾斜部にそれぞれ形成されていることを特徴とするＲＦタグ。
【請求項２】
前記インレット部は、前記タグ本体の径方向外方に突出し、かつ、前記軸側第１端部より軸方向外側に突出して形成されている請求項１に記載のＲＦタグ。
【請求項３】
前記インレットは、ＩＣチップとアンテナとを有する可撓性で細長の帯状に形成され、
前記インレット部は、前記タグ本体に沿った円弧状であって弾性変形不可に形成され、このインレット部は、前記タグ本体に沿って形成され前記インレットが収容される円弧状の空間を形成し、前記軸側第２端部側が開口された断面凹状の収容凹部と、前記インレットが収容された前記収容凹部を閉塞する円弧状の蓋体とを有している請求項１又は２に記載のＲＦタグ。
【請求項４】
前記収容凹部を形成する互いに対向する２つの円弧面には、前記収容部の深さ方向に延びる突部が千鳥状に設けられている請求項３に記載のＲＦタグ。
【請求項５】
前記タグ本体の内周面の少なくとも前記インレットが収容される箇所に、前記タグ本体の軸方向に延び、前記軸側第１端部上の水を前記軸側第２端部方向に流す凹部が周方向に間隔をあけて複数設けられている請求項１〜４のいずれか１項に記載のＲＦタグ。
【請求項６】
前記凹部は、前記軸側第１端部から前記軸側第２端部に向かうに連れて幅が広がる末広がり状に形成されている請求項５に記載のＲＦタグ。
【請求項７】
前記締結部材は、ネジ部及びネジ部より大径の頭部を有するネジ部材とこのネジ部材に螺合するナットとからなり、
前記タグ本体の周方向の両端部は、互いに端面が対向して形成され、
前記タグ本体の周方向の一方の端部である周側第１端部には、当該周側第１端部の端面と互いに平行で前記ネジ部材の頭部が当接し得る頭部当接面を有するとともに前記ネジ部材の頭部が回転可能に収容されかつ少なくとも前記周側第１端部の端面と反対側が開口されたネジ凹部が設けられ、前記頭部当接面には、前記周側第１端部の端面に開口され前記ネジ部材が貫通するとともにその頭部が通らない貫通穴が設けられ、この貫通穴は、前記タグ本体の径方向に長い長穴に形成され、
前記周側第１端部には、ネジ凹部を閉塞させる蓋部がヒンジを介して一体に設けられ、この蓋部には、前記周側第１端部に係合して前記ネジ凹部の閉塞状態を保持する係合部が設けられ、
前記タグ本体の周方向の他方の端部である周側第２端部には、前記ナットが回転不能で前記周側第２端部の端面と平行な状態で嵌合するナット凹部が設けられ、前記周側第２端部の端面には、ナット凹部に連通し前記貫通穴を通った前記ネジ部材のネジ部が貫通して前記ナット凹部に嵌合されている前記ナットに螺合し得る通過穴が設けられている請求項１〜６のいずれか１項に記載のＲＦタグ。
【請求項８】
前記ヒンジは、前記周側第１端部に係合している前記蓋部に力を作用させて、前記蓋部の前記周側第１端部との係合を解除して前記ネジ凹部を開放したとき、切れて前記蓋部が前記周側第１端部からとれる引張強さで形成されている請求項７に記載のＲＦタグ。
【請求項９】
前記蓋部で前記ネジ凹部を閉塞したとき、前記ネジ凹部に収容されている前記ネジ部材の回転を防止する回転防止部を設けた請求項７又は８に記載のＲＦタグ。
【発明の詳細な説明】
【技術分野】
【０００１】
本発明は、管理が必要な容器、特にガスボンベ等の高圧容器に取り付けられるＲＦタグ（ＲＦＩＤ（Radio Frequency IDentification）タグを略したものである。）に関するものである。
【背景技術】
【０００２】
高圧容器、例えば、酸素ガス、水素ガス又はプロパンガス等のガスが充填されたガスボンベに対して、高圧ガス保安法等の法規制により、内容物の種類と容積、耐圧、製造年月日、製造者、製造番号等の各種の情報を管理する必要がある。ガスボンベを管理する手段として、バーコードラベルをガスボンベに直接貼り付けて管理を試みているが、バーコードラベルは、汚れたり擦れたりして読めなくなったり、ガスボンベから剥がれたりすることがあった。
【０００３】
バーコードラベルの代わりのものとして無線ＩＣタグが提案されている（例えば、特許文献１参照。）。この無線ＩＣタグは、ガスボンベのネックを囲繞しながら該ネックに対して弾性力で密着固定されるリング状の弾性変形可能な固定部と、固定部の外側に外方に延在して、その内部に無線で送受信が行えるＩＣインレットが埋設された張出部とを備えたものである。この無線ＩＣタグは、リング状の固定部を弾性力に抗して拡径させて広げ、この状態のままガスボンベのネックの外周に被せて固定部への力を弱めることで、弾性力によって固定部が元の状態に戻ろうとしてネックの外周に弾性力によって密着してガスボンベのネックに固定される。固定後、ネックには、ガスボンベのキャップが取り付けられる。これにより、無線ＩＣタグがガスボンベからとれることがない。また、ＩＣインレットが張出部に埋設されているので、ＩＣインレットが汚れたり擦れたりすることもない。
【先行技術文献】
【特許文献】
【０００４】
【特許文献１】特開２００９−１０３２１３号公報
【発明の概要】
【発明が解決しようとする課題】
【０００５】
しかしながら、従来の無線ＩＣタグは、ガスボンベのネックの外周に固定部の弾性力によって密着して取り付けられるので、固定部の弾性力に対応したネックを有するガスボンベにしか取り付けることができない。すなわち、ガスボンベには多くの種類のものがあり、ネックの径も１つだけではなく多くの径のものがあるので、固定部の弾性力により取り付けることができるネック径を有するガスボンベの数が少ない。また、ネックの形状も、外形が同一の径の略円筒形に形成されているものだけではなく、ネックの開口部に向かって外形が漸次縮径した裁頭円錐形（又は円錐台状）に形成されている傾斜したものもある。このようにネックの外周が傾斜している場合には、弾性力を利用する従来の無線ＩＣタグでは安定して取り付けることができない場合がある。よって、従来の無線ＩＣは取り付けることができるガスボンベの数が少ない。
【０００６】
本発明が解決しようとする課題は、取り付けられるガスボンベ等の高圧容器の数を増やせるＲＦタグを提供することにある。
【課題を解決するための手段】
【０００７】
前記課題を解決するため、本発明に係るＲＦタグは、高圧容器のネックの外周に装着され曲率半径が可変する弾性変形可能な円筒体の一部を切除した断面優弧状のタグ本体と、タグ本体の外周の一部から突出されたインレット部に収容されるインレットと、タグ本体の周方向の両端部にそれぞれ係合してタグ本体をネックの外周に締め付けて固定する締結部材とを備え、タグ本体の内周面は、タグ本体の軸と平行な逆円柱状面で形成され、タグ本体の軸方向の両端部のうちタグ本体を前記ネックに装着したときのネックの開口部側の軸側第１端部寄りの内周面に、径方向内方に突出した突出部を設け、突出部の先端面及び軸側第１端部と反対側の軸側第２端部寄りの内周面が、軸側第２端部から軸側第１端部に向かって軸側に断面同一直線上に傾斜した傾斜部にそれぞれ形成されていることを特徴とする。
【０００８】
このように、高圧容器のネックの外周に装着されるタグ本体は、曲率半径が可変する弾性変形可能な優弧状に形成されているから、曲率半径が可変する範囲であってかつ締結部材でタグ本体をネックの外周に締め付けて固定し得る範囲の径のネックであればタグ本体をネックに装着することができるので、装着できる高圧容器の数を増やせる。また、ネックが円筒形に形成されている場合には、タグ本体の内周面の逆円柱状面をネックの外周に接触させることで、タグ本体をネックに装着することができる。また、ネックが傾斜されている場合、すなわち、ネックの外形が開口部に向かって漸次縮径した裁頭円錐形（又は円錐台状）にネックが形成されている場合には、内周面の両端部側の２つの傾斜部でネックの外周に接触させることで、タグ本体を傾斜したネックの外形に安定した状態で装着することができる。したがって、取り付けられるガスボンベ等の高圧容器の数を増すことができる。
【０００９】
この場合において、インレット部を、タグ本体の径方向外方に突出し、かつ、軸側第１端部より軸方向外側に突出して形成することができる。また、インレットを、ＩＣチップとアンテナとを有する可撓性で細長の帯状に形成し、インレット部を、タグ本体に沿った円弧状であって弾性変形不可に形成し、インレット部を、タグ本体に沿って形成されインレットが収容される円弧状の空間を形成し、軸側第２端部側が開口された断面凹状の収容凹部と、インレットが収容された収容凹部を閉塞する円弧状の蓋体とを有することができる。さらに、収容凹部を形成する互いに対向する２つの円弧面に、収容部の深さ方向に延びる突部を千鳥状に設けることができる。
【００１０】
また、タグ本体の内周面の少なくともインレットが収容される箇所に、タグ本体の軸方向に延び、軸側第１端部上の水を軸側第２端部方向に流す凹部を周方向に間隔をあけて複数設けることができる。その凹部を、軸側第１端部から軸側第２端部に向かうに連れて幅が広がる末広がり状に形成することができる。
【００１１】
また、締結部材を、ネジ部及びネジ部より大径の頭部を有するネジ部材とこのネジ部材に螺合するナットとで構成し、タグ本体の周方向の両端部を、互いに端面が対向して形成し、タグ本体の周方向の一方の端部である周側第１端部に、周側第１端部の端面と互いに平行でネジ部材の頭部が当接し得る頭部当接面を有するとともにネジ部材の頭部が回転可能に収容されかつ少なくとも周側第１端部の端面と反対側が開口されたネジ凹部を設け、頭部当接面に、周側第１端部の端面に開口されネジ部材のネジ部が貫通するとともにその頭部が通らない貫通穴を設け、この貫通穴をタグ本体の径方向に長い長穴に形成し、周側第１端部に、ネジ凹部を閉塞させる蓋部をヒンジを介して一体に設け、蓋部に、周側第１端部に係合してネジ凹部の閉塞状態を保持する係合部を設け、タグ本体の周方向の他方の端部である周側第２端部に、ナットが回転不能で周側第２端部の端面と平行な状態で嵌合するナット凹部を設け、周側第２端部の端面に、ナット凹部に連通し貫通穴を通ったネジ部材のネジ部が貫通してナット凹部に嵌合されているナットに螺合し得る通過穴を設けることができる。ヒンジを、周側第１端部に係合している蓋部に力を作用させて、蓋部の周側第１端部との係合を解除してネジ凹部を開放したとき、切れて蓋部が周側第１端部からとれる引張強さで形成することができる。また、蓋部でネジ凹部を閉塞したとき、ネジ凹部に収容されているネジ部材の回転を防止する回転防止部を設けることができる。回転防止部を蓋部に設けることができる。
【発明の効果】
【００１２】
本発明によれば、取り付けられるガスボンベ等の高圧容器の数を増やすことができる。
【図面の簡単な説明】
【００１３】
【図１】本発明に係る一例の実施形態のＲＦタグをガスボンベのネックに取り付けた状態を示す斜視図である。
【図２】本実施形態のＲＦタグを示す分解斜視図である。
【図３】本実施形態のＲＦタグに用いるタグ本体を示す図で、（ａ）は平面図、（ｂ）は（ａ）中のＡ−Ａ線矢視断面図、（ｃ）は（ａ）中のＢ−Ｂ線矢視断面図、（ｄ）は（ａ）中のＣ−Ｃ線矢視断面図、（ｅ）は（ａ）中のＤ−Ｄ線矢視断面図である。
【図４】本実施形態のタグ本体を示す裏面図である。
【図５】本実施形態のタグ本体を示す斜視図である。
【図６】本実施形態のタグ本体を示す側面図である。
【図７】本実施形態のタグ本体の周方向の両端部を示す斜視図である。
【図８】本実施形態のＲＦタグをガスボンベのネックに取り付けた状態を示す概略一部断面側面図で、（ａ）は外形が軸に対して平行に形成されているネックに取り付けた図、（ｂ）は外形が軸に対して傾斜したネックに取り付けた図である。
【発明を実施するための形態】
【００１４】
以下、本発明に係るＲＦタグの一実施形態を添付図面に基づいて説明する。図１に示すように、本実施形態のＲＦタグ１は、高圧容器、例えばガスボンベ１０のネック１１に取り付けられるものである。本実施形態では、高圧容器としてガスボンベ１０について説明するが、これに限定されるものではない。本実施形態のＲＦタグ１は、図１及び図２に示すように、ガスボンベ１０のネック１１の外周に装着され曲率半径が可変する弾性変形可能な優弧状のタグ本体２と、タグ本体２の外周の一部から突出されたインレット部４に収容されるインレット３と、タグ本体２の周方向の両端部にそれぞれ係合してタグ本体２をネック１１の外周に締め付けて固定する締結部材５とを備える。
【００１５】
締結部材５は、ネジ部材とこのネジ部材に螺合するナット５２とを備えてなる。ナット５２は、ネジ部材のネジ部に螺合するネジ溝が設けられた穴５２ａを中央部に有し、外形が例えば六角形状のもの等の公知のものが用いられる。ネジ部材は、ネジ部とネジ部より大径の頭部を有するものであれば、特に限定されず、例えば、ビスやボルト５１等が好ましい。ネジ部材として、本実施形態では、六角形状の頭部５１ｂを有するボルト５１を用いた場合について説明するが、これに限定されるものではない。ボルト５１のネジ部５１ａは、外周にネジ山が形成されてなる。ボルト５１は、ボルト５１とナット５２の締結部材５でタグ本体２をネック１１に締め付け得る寸法で形成されている１つのものでもよいし、ネジ部５１ａの長さ異なる複数のボルト５１を用意し、ネック１１の径に応じてボルト５１を使い分けるようにしてもよい。
【００１６】
タグ本体２は、図１〜図７に示すように、円筒体の一部を切除したような断面優弧状であって、曲率半径が可変する弾性変形可能に形成されている。タグ本体２の軸方向の長さは、装着対象のガスボンベ１０のうちネック１１の軸方向の長さが最小の長さより短い寸法で形成されている。タグ本体２の材質は、電磁波透過性材料であって弾性変形可能な材料であれば特に限定されず、例えば合成樹脂等を用いることができ、特にポリエチレンやポリプロピレンなどのオレフィン系樹脂等が好ましく、最も好ましいのはポリプロピレンにポリエチレンを混ぜたものである。このポリエチレンを混ぜたポリプロピレンを主体とするものでタグ本体２を形成すれば、十分な硬度と大きなせん断力が得られ、タグ本体２が変形し難く、かつ、タグ本体２が途中からちぎれ難くなるからである。
【００１７】
タグ本体２の外周面２ｅは、タグ本体２の軸と平行な円柱状面として形成されている。タグ本体２の外周面２ｅには、インレット部４が一体に形成されている。インレット部４は、インレット３を収容するもので、タグ本体２の外周の一部から突出して形成されている。インレット３は、無線で内容物の種類と容積、耐圧、製造年月日、製造者、製造番号等の各種の情報の送受信を行えるＨＦ、ＵＨＦ帯のもの等で、例えば、ＩＣチップとアンテナを樹脂でコーティングしたり紙の間に挟持したりして可撓性を有する細長の帯状に形成されている公知のものを用いることができる。
【００１８】
インレット部４は、タグ本体２の径方向外方に突出し、かつ、タグ本体２の軸方向の両端部のうちタグ本体２をネック１１に装着したときのネック１１の開口部側の端部である軸側第１端部２ａ寄り又はこの軸側第１端部２ａより軸方向外側に突出して形成されていることが好ましい。また、インレット部４は、タグ本体２に沿った円弧状であって弾性変形不可に形成されていることが好ましい。これにより、インレット部４に収容されたインレット３にインレット部４の弾性変形による応力が作用しないようになっている。
【００１９】
インレット部４は、例えば、タグ本体２の外周面に間隔をあけてタグ本体２に沿って円弧状に形成されている。インレット部４は、帯状のインレット３が収容され得る円弧状のタグ本体２の軸方向に延びる空間を形成し、軸側第１端部２ａと反対側の端部である軸側第２端部２ｂ側が開口された断面凹状の収容凹部４１と、インレット３が収容された収容凹部４１を閉塞する円弧状の蓋体４２とを有している。収容凹部４１は、タグ本体２の軸とインレット３の幅方向が平行（略平行を含む。)で帯状のインレット３を円弧又は円弧に近い形で収納するように形成されている。すなわち、収容凹部４１の円弧方向の長さは、収容凹部４１に収容され得る最長の帯状のインレット３の長手方向の長さより大きい好ましくは若干大きい寸法で形成されている。また、収容凹部４１の深さは、インレット３の幅より長い寸法で形成されている。収容凹部４１の幅、すなわち、円弧状の空間の幅は、インレット３を十分な余裕を持って収納し得る寸法で形成されている。インレット部４は、例えば、収容凹部４１の開口部がタグ本体２の軸方向の略中央部に位置されて形成されているとともに、頂部が軸側第１端部２ａより軸方向外側に突出して形成されている。
【００２０】
収容凹部４１を形成する互いに対向する２つの円弧面４１ａ、４１ｂには、収容凹部４１の深さ方向に延びる突部４３が千鳥状に設けられていることが好ましい。突部４３の形状は、特に限定されず、図示するように断面半円状であってもその他の形状であってもよい。また、インレット部４の円弧方向すなわち周方向の長さは、タグ本体２の周方向の長さより短く形成されている。インレット部４は、タグ本体２の周方向（又は円弧方向）の両端部のうち平面視左側の端部である周側第２端部２ｄ近傍にインレット３の一方の端部が位置され、その他方の端部がタグ本体２の中央よりやや周側第２端部２ｄとは反対側の端部である周側第１端部２ｃ側に位置された状態で形成されている。
【００２１】
蓋体４２は、収容凹部４１の開口部を閉塞するもので、例えば、タグ本体２と同じ材料で、その開口部を形成する他面に当接して開口部を閉塞する円弧板状に形成されている。蓋体４２の収容凹部４１側となる閉塞面には、幅方向の中央部が突出して収容凹部４１に挿入し得る断面略台形状の突部４４が設けられていることが好ましい。突部４４の高さは、蓋体４２が収容凹部４１を閉塞した状態で接合されたとき、収容凹部４１に収納されているインレット３の幅方向の端部に当接して、インレット３の収容凹部４１内での動きを防止する、すなわち、押さえとして機能する寸法で形成されていることが好ましい。突部４４は、蓋体４２の円弧方向に間隔をあけて複数形成してもよいが、円弧方向に延びすなわち連続して形成することが好ましい。
【００２２】
この蓋体４２を突部４４が収容凹部４１内に入るように収容凹部４１を形成する端面に当接させて収容凹部４１を閉塞した状態で例えば超音波溶接により蓋体４２が接合される。この際、蓋体４２の閉塞面４２ａの収容凹部４１を形成する端面に当接する個所に超音波溶接により溶けて収容凹部４１を形成する端面に接合される凸部を設けるようにしてもよい、このように凸部を設けることにより、超音波溶接により蓋体４２を確実に収容凹部４１を形成する端面に接合することができる。なお、蓋体４２は、インレット部４から外せないように接合したが、これに限定されず、他の手段によってインレット部４から外せないようにしてもよい。
【００２３】
一方、タグ本体２の内周面は、タグ本体２の軸と平行な逆円柱状面２１で形成されている。また、内周面の軸側第１端部２ａ寄り（軸側第１端部２ａ側）には、径方向内方に突出した突出部２２が設けられている。突出部２２の先端面は、軸側第２端部２ｂから軸側第１端部２ａに向かって軸側に傾斜した傾斜部２３に形成されている。また、軸側第２端部２ｂ寄り（軸側第２端部２ｂ側）の内周面は、軸側第２端部２ｂから軸側第１端部２ａに向かって軸側に傾斜した傾斜部２４に形成されている。これら２つの傾斜部２３、２４は、断面同一直線上になるように形成されていることが好ましい。すなわち、タグ本体２の内周面は、軸方向の両端部側が傾斜した傾斜部２３、２４で、残りの軸方向の中央部が逆円柱状面２１で形成されている。また、突出部２２は、タグ本体２の内周面特にタグ本体２が弾性変形可能な箇所では、間隔をあけて複数で形成されていることが好ましい。これにより、タグ本体２を弾性変形し得る状態に確保することができる。すなわち、突出部２２がタグ本体２の内周面にその円弧方向に延びてつまり連続して形成されていると、タグ本体２が弾性変形し難くなるからである。
【００２４】
タグ本体２のインレット３が収容される内周面には、その軸方向全体にわたって断面凹状に窪んだ凹部２５が周方向に間隔をあけて複数設けられている。凹部２５は、軸側第１端部２ａ上の水を軸側第２端部２ｂ方向に流すものである。凹部２５は、なお、凹部２５は、インレット部４が設けられているタグ本体２の内周面に配設されていればよく、他の箇所に設けられていても設けられていなくてもどちらでもよい。また、凹部２５は、軸側第１端部２ａから軸側第２端部２ｂに向かうに連れて幅が広がる末広がり状に形成されていることが好ましい（特に図５参照。）。また、凹部２５は、軸側第１端部２ａから軸側第２端部２ｂに向かうに連れて凹状の深さが深くなる傾斜面、すなわち、凹部２５の底部が傾斜して形成するようにしてもよい。
【００２５】
タグ本体２の周方向の両端部は、端面が互いに対向する弾性変形不可な断面略三角形状に形成されている。また、タグ本体２の周方向の両端部は、ボルト５１の頭部５１ｂやナット５２が互いに対向して収納可能に形成され、かつ、両端面がボルト５１の頭部５１ｂやナット５２より大きな例えば矩形状に形成されている。
【００２６】
タグ本体２の周方向の平面視右側の端部である周側第１端部２ｃには、ボルト５１の頭部５１ｂが回転可能に収容されるネジ凹部２６が設けられている。ネジ凹部２６は、六面体の空間を形成し、端面と平行であってボルト５１の頭部５１ｂより大きな矩形状の頭部当接面２６ａを有してなる。また、ネジ凹部２６は、頭部当接面２６ａと対向する側、すなわち、タグ本体２の周側第１端部２ｃの端面と反対側が開口されている。ネジ凹部２６は、頭部当接面２６ａと反対側が開口されていれば、どのように形成されていてもよく、本実施形態では、軸側第２端部２ｂ側も開口されている。すなわち、ネジ凹部２６は、六面体の空間の２面が開口された形状に形成されている。頭部当接面２６ａの例えばほぼ中央部には、周側第１端部２ｃの端面のほぼ中央部に開口され、ボルト５１のネジ部５１ａが貫通するとともにその頭部５１ｂが通らない貫通穴２７が設けられている。貫通穴２７は、タグ本体２の径方向に長い長穴に形成されている。これにより、ボルト５１は、貫通穴２７（長穴）の長手方向に移動し得るようになっている。
【００２７】
タグ本体２の周側第２端部２ｄには、その端面と平行な状態でナット５２が回転不能に嵌合するナット凹部２８が設けられている。ナット凹部２８は、例えば、軸側第２端部２ｂ側が開口された断面凹状であってナット５２が完全に収容される形状に形成されている。周側第２端部２ｄの端面の例えばほぼ中央部には、ナット凹部２８に連通するとともに、ナット凹部２８に嵌合されたナット５２の穴５２ａと同軸の通過穴２９ａが設けられている。また、ナット凹部２８を形成する面であって通過穴２９ａが形成されている面と対向する面には、この面と反対側に貫通し、かつ、ナット５２に螺合してナット５２から突出するボルト５１のネジ部５１ａが通るネジ部５１ａより径が大きな径の通し穴２９ｂが設けられている。これにより、ボルト５１をそのネジ部５１ａの先端部から頭部当接面２６ａと対向するネジ凹部２６の開口からネジ凹部２６内に挿入しつつ貫通穴２７を通し、この貫通穴２７を通ったボルト５１のネジ部５１ａをさらに通過穴２９ａを通してナット凹部２８に嵌合されているナット５２の穴５２ａに接触させ、この状態のままボルト５１をナット５２側に押しつけつつタグ本体２に対して回転させることで、ネジ部５１ａがナット５２に螺合してボルト５１の頭部５１ｂが頭部当接面２６ａに接触してからも回転させる、すなわち、締め付けることで、ボルト５１とナット５２によりタグ本体２がネック１１の外周に締め付けられて固定されるようになっている。
【００２８】
周側第１端部２ｃには、ネジ凹部２６を閉塞する蓋部３０が設けられている。蓋部３０は、ヒンジ３１を介して周側第１端部２ｃすなわちタグ本体２に一体に設けられている。蓋部３０は、ネジ凹部２６が形成する六面体の空間の開口されている２面を閉塞する断面Ｌ字状のＬ字板で形成されている。蓋部３０には、蓋部３０でネジ凹部２６を閉塞したとき、ネジ凹部２６を形成する面に設けられた係合凹部３２に係合して蓋部３０による閉塞状態を保持する係合部３３が設けられている。係合部３３は、ネジ凹部２６を閉塞したときのネジ凹部２６側、すなわち、外側に露出しない裏面から突出する突出片３３ａと、この突出片３３ａの先端に設けられ、係合凹部３２に係合する係合凸部３３ｂとからなる。
【００２９】
また、頭部当接面２６ａと対向する開口を閉塞し軸側第２端部２ｂ側の開口を閉塞する部分と反対側の蓋部３０の端部のほぼ中央部には、横長の矩形状に突出する突片３４が設けられている。突片３４の両側部は、断面略半球状に突出する突部３５として形成されている。また、蓋部３０でネジ凹部２６を閉塞した際にその突片３４と対応する周側第１端部２ｃの頭部当接面２６ａと対向する開口を形成する面には、その突片３４が嵌合する凹部３６が設けられている。凹部３６の両側面には、突片３４の両側部の突部３５とそれぞれ係合する係合凹部３７が設けられている。これにより、蓋部３０は、ネジ凹部２６を閉塞したとき、２つの係合手段により周側第１端部２ｃに係合するようになっている。なお、蓋部３０を係合させる係合手段は、これらに限定されず他の構成で係合させるようにしてもよい。
【００３０】
ヒンジ３１は、蓋部３０と周側第１端部２ｃとを連結するものであるが、ネジ凹部２６を閉塞している蓋部３０の周側第１端部２ｃとの係合を解除したとき、すなわち、蓋部３０をあけてネジ凹部２６を開放させたとき、切れて蓋部３０が周側第１端部２ｃからとれる引張強さの薄肉形状で形成されていることが好ましい。これにより、一旦蓋部３０で閉塞したネジ凹部２６を蓋部３０をあけて開放したときには、蓋部３０が周側第１端部２ｃからとれるようになっている。
【００３１】
また、蓋部３０の閉塞面には、蓋部３０を周側第１端部２ｃに係合させてネジ凹部２６を閉塞したとき、ネジ凹部２６に収容されているボルト５１の頭部５１ｂの回転を防止する回転防止部６が設けられている。回転防止部６は、ネジ凹部２６に収容されているボルト５１の頭部５１ｂの回転を防止することができればどのように形成してもよく、例えば、ボルト５１の頭部５１ｂの側面とネジ凹部２６を形成する面との間に挿入されて頭部５１ｂの回転を防止するようにしてもよいが、図示するように、ボルト５１の頭部５１ｂの端面に面接触してボルト５１の頭部５１ｂを頭部当接面２６ａ側に押圧する押圧片６１を設けることが好ましい。
【００３２】
次に本実施形態のＲＦタグ１をガスボンベ１０のネック１１に取り付ける場合について説明する。まず、収容凹部４１にインレット３が収容されていない場合には、開口部からインレット３を収容凹部４１内に挿入してから、蓋体４２で収容凹部４１を閉塞して蓋体４２を外れないようにインレット部４に接合する。このとき、インレット３は、収容凹部４１内すなわち収容凹部４１で形成される空間に収容されるので、ＨＦ、ＵＨＦ帯のもの等の種類にかかわらず、かつ、収容凹部４１すなわち空間内の寸法範囲内の長さや幅、厚みが異なる寸法のインレット３であれば簡単に収容することができる。
【００３３】
次に、インレット３を収容したタグ本体２をガスボンベ１０のネック１１に装着するには、タグ本体２の弾性力に抗してタグ本体２の周側第１端部２ｃと周側第２端部２ｄとの間隔を広げ、この状態のままこれら端部の間にネック１１を通すように、ネック１１の横（ガスボンベ１０の径方向）からタグ本体２をネック１１側に移動させてネック１１の外周に位置されたら、その力を弱める。これにより、タグ本体２は、その弾性力によって周側第１端部２ｃと周側第２端部２ｄとの間隔が狭くなってネック１１の外周に被さり装着されるか、装着され得る状態になる。すなわち、ネック１１の半径が、外力を作用させていないときのタグ本体２の曲率半径以上の場合には、タグ本体２は、その弾性力によってネック１１の外周に被さり装着された状態になり、一方、ネック１１の半径が、外力を作用させていないときのタグ本体２の曲率半径未満の場合には、タグ本体２は、ネック１１の外周に位置された装着され得る状態になる。よって、タグ本体２の周側第１端部２ｃの端面と周側第２端部２ｄの端面とが接触したときのタグ本体２の曲率半径以上の半径からボルト５１とナット５２の締結部材５でタグ本体２を締め付け得る半径までの半径のネック１１にタグ本体２を装着できる。すなわち、曲率半径が可変する範囲であってかつ締結部材５でタグ本体２をネック１１の外周に締め付けて固定し得る範囲の径のネック１１であればタグ本体２をネック１１に装着することができるので、装着できるガスボンベ１０の数を増やせる。
【００３４】
また、タグ本体２の内周面は、軸方向の両端部側が傾斜した傾斜部２３、２４で、残りの軸方向の中央部が逆円柱状面２１で形成されているから、図８（ａ）に示すように、ネック１１が略円筒形に形成されている場合には、タグ本体２の逆円柱状面２１がネック１１の外周に接触させつつ突出部２２をネック１１のネジ部１１ａとネジ部１１ａが形成されていない箇所との段部に当接させることで、タグ本体２を略円筒形のネック１１に装着することができる。
【００３５】
一方、ネック１１が傾斜されている場合、図８（ｂ）に示すように、すなわち、ネック１１の外形が開口部に向かって漸次縮径した裁頭円錐形にネック１１が形成されている場合には、内周面の両端部側の２つの傾斜部２３、２４をネック１１の外周に接触させることで、タグ本体２を傾斜したネック１１に装着することができる。このように、タグ本体２をネック１１の外周に接触させた後に、後述するようにボルト５１とナット５２との締結部材５でタグ本体２をネック１１の外周に締め付け固定する場合、ボルト５１のネジ部５１ａが通る貫通穴２７、通過穴２９ａ及び通し穴２９ｂがタグ本体２の周方向の両端部の略中央部に形成されていることで、締め付け力はタグ本体２の中央部にかかるから、略円筒形のネック１１に接触させる逆円柱状面２１が内周面の中央部に形成されているので、タグ本体２を略円筒形のネック１１に安定して固定することが可能となる。一方、２つの傾斜部２３、２４が内周面の両端部側に形成されているので、タグ本体２を傾斜したネック１１に安定して固定することが可能となる。よって、本実施形態のＲＦタグ１を取り付けられるガスボンベ１０の数をさらに増やすことができる。
【００３６】
ボルト５１とナット５２の締結部材５でタグ本体２をネック１１の外周に締め付け固定するには、ナット５２をナット凹部２８内に嵌合するが、この嵌合は、タグ本体２のネック１１への装着後でもよいが、装着前にナット凹部２８内に予め嵌合させておくことが好ましい。ボルト５１をそのネジ部５１ａの先端部から頭部当接面２６ａと反対側のネジ凹部２６の開口からネジ凹部２６内に挿入しつつ貫通穴２７を通し、この貫通穴２７を通ったネジ部５１ａをさらに通過穴２９ａを通してナット凹部２８に嵌合されているナット５２の穴５２ａに接触させる。この状態のままボルト５１をナット５２側に押しつけつつタグ本体２に対して回転させることで、ネジ部５１ａがナット５２に螺合してボルト５１の頭部５１ｂが頭部当接面２６ａに接触しつつ回転してタグ本体２を締め付ける。これにより、ボルト５１とナット５２によりタグ本体２がネック１１の外周に締め付けられて固定される。
【００３７】
したがって、本実施形態のＲＦタグ１は、タグ本体２の周側第１端部２ｃと周側第２端部２ｄとの間隔を広げた状態でネック１１の横からタグ本体２を保護キャップ１２を付けたままのネック１１の外周に装着できるので、ネック１１への取り付けが簡単であり、しかも取り付けられるガスボンベ１０の数を増やすことができる。
【００３８】
また、インレット部４は、弾性変形不可に形成されているため、インレット部４が外周に設けられているタグ本体２は弾性変形が不可であるが、インレット部４が、タグ本体２の外周の周側第２端部２ｄ近傍から中央よりやや周側第１端部２ｃ側まで延びて形成されていることで、タグ本体２が弾性変形可能な箇所が、例えば、インレット部４がタグ本体２の外周の中央部に設けられている場合に比して長いので、タグ本体２が弾性変形し易い。よって、タグ本体２の周方向の両端を広げてネック１１にタグ本体２を装着するので、タグ本体２をネック１１に装着し易い。
【００３９】
また、タグ本体２のボルト締めを行う場合、ボルト５１の頭部５１ｂを収容するネジ凹部２６をタグ本体２が弾性変形する側の周側第１端部２ｃに設けることで、ボルト締めを行う際のボルト締め側のタグ本体２が弾性変形可能であるので、ボルト５１とナット５２によりタグ本体２をネック１１の外周に確実に締め付けて固定することができる。すなわち、インレット部４が、タグ本体２の外周の周側第２端部２ｄ近傍から延びているから、この周側第２端部２ｄにネジ凹部２６が設けられているとすると、ボルト締めを行う際に周側第２端部２ｄ側のタグ本体２が弾性変形しない。このため、ネック１１の外周にタグ本体２が装着されている場合には、特にボルト５１の締め付けによるタグ本体２の弾性変形がし難くなるので、タグ本体２のネック１１への固定が行い難くなる場合があるからである。
【００４０】
また、タグ本体２のボルト締めを行う場合、ボルト締めを行うための工具を手で持って行うが、工具を持つ手が右手であることが多い、すなわち、ボルト締めを行う作業者の多くが右利きであるから、タグ本体２の周方向の平面視右側の周側第１端部２ｃにネジ凹部２６を設けることで、ボルト締めの作業を行い易い。なお、左利き用のタグ本体２、すなわち、タグ本体２の周方向の平面視左側の端部にネジ凹部を設けるようにしてもよい。
【００４１】
また、インレット部４は、タグ本体２の径方向外方に突出した位置であって、かつ、軸側第１端部２ａ側又はこの軸側第１端部２ａより軸方向外側に突出した位置に形成されている、すなわち、インレット３は、ガスボンベ１０のネック１１から離れているとともに、ガスボンベ１０の肩部からも離れている箇所に収容されるので、送受信を行う際にガスボンベ１０の影響を受けない。すなわち、ネック１１を含むガスボンベ１０は金属で形成されているため、例えば、インレット３と送受信を行う際に、例えば、ガスボンベ１０の表面にインレット３が直接貼り付けられていると、金属によって誘電率が変わるからである。
【００４２】
また、インレット３を収容する収容凹部４１を形成する２つの円弧面４１ａ、４１ｂに、収容部の深さ方向に延びる突部４３を千鳥状に設けることで、インレット３が円弧面に直接接触する箇所を少なくすることができるので、インレット３との送受信を正確に行える。すなわち、インレット３が円弧面に接触する箇所が多いと、それだけ送受信を行う際の周波数が電波の波に吸収されることが考えられるからである。
【００４３】
また、タグ本体２の内周面に凹部２５が設けられていることで、ＲＦタグ１の軸側第１端部２ａ上の水、雨水、雪の解けた水や、低温ガスの充填時に発生する結露による水が凹部２５を通って軸側第２端部２ｂに流れるので、水がＲＦタグ１とネック１１の間に溜まることがなく、水の影響なくインレット３との送受信を行える。すなわち、ＲＦタグ１とネック１１との間、特にインレット３が収納されている箇所のネック１１との間に水が溜まると、水によって誘電率が変わることがあるからである。
【００４４】
また、凹部２５は、軸側第１端部２ａから軸側第２端部２ｂに向かうに連れて幅が広がる末広がり状に形成されることで、確実に水を軸側第１端部２ａから軸側第２端部２ｂへと流すことができるので、インレット３との送受信を水の影響なく確実に行える。さらに、凹部は、軸側第１端部２ａから軸側第２端部２ｂに向かうに連れて凹状の深さが深くなる傾斜面を有することで、一層確実に水を軸側第１端部２ａから軸側第２端部２ｂへと流すことができるので、インレット３との送受信を水の影響なく一層確実に行える。
【００４５】
なお、本実施形態のＲＦタグ１は、タグ本体２をネック１１に装着する場合、周側第１端部２ｃと周側第２端部２ｄとの間隔を広げた状態でタグ本体２をネック１１の上方からネック１１の外周の所望の個所に移動させることによって、タグ本体２をネック１１の外周に簡単に装着することもできる。この場合も、ガスボンベ１０のネック１１に保護キャップ１２を付けたままでもネック１１にタグ本体２を装着させられる。
【符号の説明】
【００４６】
１  ＲＦタグ
２  タグ本体
２ａ  軸側第１端部
２ｂ  軸側第２端部
２ｃ  周側第１端部
２ｄ  周側第２端部
３  インレット
４  インレット部
５  締結部材
６  回転防止部
１０  ガスボンベ
１１  ネック
２１  逆円柱状面
２２  突出部
２３  傾斜部
２４  傾斜部
２５  凹部
２６  ネジ凹部
２６ａ  頭部当接面
２７  貫通穴
２８  ナット凹部
２９ａ  通過穴
３０  蓋部
３１  ヒンジ
３３  係合部
４１  収容凹部
４１ａ  円弧面
４１ｂ  円弧面
４２  蓋体
４３  突部
５１  ボルト
５１ａ  ネジ部
５１ｂ  頭部
５２  ナット
【図１】
2011226515.tif 000003
【図２】
2011226515.tif 000004
【図３】
2011226515.tif 000005
【図４】
2011226515.tif 000006
【図５】
2011226515.tif 000007
【図６】
2011226515.tif 000008
【図７】
2011226515.tif 000009
【図８】
2011226515.tif 000010